(57)【要約】【課題】薬きょう排出口から放出された薬きょうを確実に回収できる薬きょう回収具を提供することを課題とする。【解決手段】薬きょう回収具１は、銃の薬きょう排出口から放出された薬きょうを突き当てる突き当て壁７ａと、この突き当て壁７ａに衝突した薬きょうを回収する回収袋４と、を有する。突き当て壁７ａは、銃の槓桿の移動方向と直交する面に対し、薬きょう排出口から離れる方向に移動方向先端に向けて傾斜している。【選択図】      図４
2012067960.tif 000002
【特許請求の範囲】
【請求項１】
火器の薬きょう排出口から放出された薬きょうを突き当てる突き当て壁と、
この突き当て壁に衝突した薬きょうを回収する回収袋と、を有し、
上記突き当て壁は、上記火器の槓桿の移動方向と直交する面に対し、上記薬きょう排出口から離れる方向に上記移動方向先端に向けて傾斜している薬きょう回収具。
【請求項２】
上記移動方向に沿った上記火器の軸線に対する上記突き当て壁の傾斜角度は、９０度より大きく１８０度より小さい角度である請求項１の薬きょう回収具。
【請求項３】
上記突き当て壁を有するとともに上記回収袋の内面に貼り付けられた突き当て部材をさらに有する請求項１の薬きょう回収具。
【請求項４】
上記回収袋を上記火器の薬きょう排出口に取り付けたフレームをさらに有し、
上記突き当て壁は、上記フレームを部分的に折り曲げて形成されている請求項１の薬きょう回収具。
【請求項５】
上記回収袋を上記火器の薬きょう排出口に取り付けるためのフレームをさらに有し、
上記回収袋は、上記フレームに対して脱着自在に取り付けられている請求項１の薬きょう回収具。
【請求項６】
上記回収袋は、上記火器の上記薬きょう排出口を介して送り込まれる高圧ガスを外部へ逃がすための通気孔を有する請求項１の薬きょう回収具。
【請求項７】
上記突き当て壁を有する突き当て部材と、
この突き当て部材を、上記回収袋の内面に対して、上記突き当て壁の傾斜角度を調節可能に取り付けた角度調節機構と、
をさらに有する請求項１の薬きょう回収具。
【発明の詳細な説明】
【技術分野】
【０００１】
本発明の実施形態は、火器の薬きょう排出口に取り付けられる薬きょう回収具に関する。
【背景技術】
【０００２】
近年、環境への配慮から、火器から放出される薬きょうを回収する要求が高まりつつある。このため、火器の薬きょう排出口に取り付けられる薬きょう回収具が知られている。
【先行技術文献】
【特許文献】
【０００３】
【特許文献１】特開２００３−３１４９９４号公報
【発明の概要】
【発明が解決しようとする課題】
【０００４】
しかし、薬きょう排出口から放出された薬きょうが薬きょう回収具の内壁に衝突して跳ね返り、薬きょう排出口の方向に戻ってしまい、槓桿（コウカン）や槓桿レバーに当該薬きょうが挟まる不具合を生じる場合がある。このような不具合を生じると、次の弾を装填できなくなって、銃が撃てなくなってしまう。
【０００５】
このため、薬きょう排出口から放出された薬きょうを確実に回収できる薬きょう回収具の開発が望まれている。
【課題を解決するための手段】
【０００６】
実施形態に係る薬きょう回収具は、火器の薬きょう排出口から放出された薬きょうを突き当てる突き当て壁と、この突き当て壁に衝突した薬きょうを回収する回収袋と、を有する。突き当て壁は、火器の槓桿の移動方向と直交する面に対し、薬きょう排出口から離れる方向に移動方向先端に向けて傾斜している。
【図面の簡単な説明】
【０００７】
【図１】図１は、実施形態に係る薬きょう回収具を装着した銃の要部を左斜め後方から見た斜視図である。
【図２】図２は、図１の銃の要部を左斜め前方から見た斜視図である。
【図３】図３は、図１の銃の要部を上方から見た平面図である。
【図４】図４は、図１の銃から取り外した状態の薬きょう回収具を左斜め後方から見た斜視図である。
【図５】図５は、図４の薬きょう回収具を後方から見た外観図である。
【図６】図６は、図４の薬きょう回収具を右側から見た側面図である。
【図７】図７は、図４の薬きょう回収具を前方から見た外観図である。
【図８】図８は、図４の薬きょう回収具を左側から見た側面図である。
【図９】図９は、図４の薬きょう回収具を上方から見た平面図である。
【図１０】図１０は、図４の薬きょう回収具を分解した分解斜視図である。
【図１１】図１１は、図４の薬きょう回収具の内側に貼り付けた突き当て部材を示す断面図である。
【図１２】図１２は、図１１の突き当て部材の傾斜面の機能を説明するための概略図である。
【図１３】図１３は、図１１の突き当て部材を設ける代りにフレームの一部を折り曲げた例を示す概略図である。
【図１４】図１４は、図１１の突き当て部材の傾斜角度を調節する角度調節機構を示す斜視図である。
【発明を実施するための形態】
【０００８】
以下、図面を参照しながら実施形態について詳細に説明する。  
図１には、本実施形態に係る薬きょう回収具１を薬きょう排出口（後述する）に取り付けた状態の銃１０（火器）の要部を左斜め後方から見た斜視図を示してあり、図２には、この銃１０の要部を左斜め前方から見た斜視図を示してあり、図３には、この銃１０の要部を上方から見た平面図を示してある。薬きょう排出口は銃１０の右側に設けられているため、薬きょう回収具１は、銃１０の右側に取り付けられる。
【０００９】
以下の説明では、銃１０の槓桿（後述する）が移動する軸線に沿った方向を前後方向と称し、ユーザーが銃１０を持った状態を基準に上下左右の方向を規定する。なお、図面上では、ユーザーが銃１０を持った状態で、前方向（弾が発射される方向）を矢印ｘで示し、右方向を矢印ｙで示し、上方向を矢印ｚで示す。
【００１０】
薬きょうは、銃１０に組み込まれた槓桿によって薬きょう排出口から押し出され、薬きょう回収具１で回収される。銃１０の槓桿は、弾を撃つとき前方へ移動されるとともに、弾を撃ったときに火薬の爆発により発生する高圧ガスにより後方へ移動され、次の弾の装填および薬きょう排出のため前方へ移動する。槓桿が後方へ移動するとき、薬きょうが爪に引掛けられて傾倒され、槓桿が前方へ移動するとき、傾倒された薬きょうが薬きょう排出口を介して右斜め前方に押し出される。
【００１１】
薬きょうが銃１０の薬きょう排出口から薬きょう回収具１内に排出されるとき、火薬の量、薬きょう自体の寸法、薬きょうの形状などにより、その排出速度や排出角度にばらつきを生じる。このため、場合によっては、銃１０の薬きょう排出口から放出された薬きょうが薬きょう回収具１の内壁で跳ね返って薬きょう排出口の方向に真っ直ぐ戻ってきてしまうことがある。この場合、例えば、薬きょうが槓桿と薬きょう排出口との間に挟まったり、槓桿レバーとの間に挟まったりして、槓桿が前方へ動かなくなってしまうことがある。このように、槓桿が動かなくなると、次の弾を装填できなくなり、弾を撃つことができなくなる。
【００１２】
このような不具合を防止するため、薬きょう排出口の近くに薬きょう回収具１の内壁が配置されないように、回収具１自体を大きくする方法が考えられるが、この方法を採用すると銃１０の付帯装備が大きくなり、銃１０の取り扱いが不便になる。また、上記不具合を防止するため、薬きょう回収具１の薬きょうが衝突する部位の内壁に緩衝部材などを貼り付ける方もが考えられるが、耐久性に乏しく、緩衝部材の分だけコスト高になる。
【００１３】
従って、本実施形態では、薬きょうが衝突する位置にある薬きょう回収具１の内壁を外側に向けて広がるように傾斜させて、薬きょうが薬きょう回収具１の内壁に衝突した後の跳ね返り方向を所望する方向に制御することで、上述した不具合を防止するようにした。以下、本実施形態の薬きょう回収具１の構造について、図４乃至図１４を参照して詳細に説明する。
【００１４】
図４には、銃１０から取り外した状態の薬きょう回収具１を左斜め後方から見た斜視図を示してあり、図５には、薬きょう回収具１を後方から見た外観図を示してあり、図６には、薬きょう回収具１を右側から見た側面図を示してあり、図７には、薬きょう回収具１を前方から見た外観図を示してあり、図８には、薬きょう回収具１を左側から見た側面図を示してあり、図９には、薬きょう回収具１を上方から見た平面図を示してある。また、図１０には、薬きょう回収具１のフレーム２と回収袋４と分解した状態の斜視図を示してある。
【００１５】
薬きょう回収具１は、図１０に示すように、フレーム２と、回収袋４と、を複数本のベルト３でつないだ構造を有する。各ベルト３の端部には、図示しないマジックテープ（登録商標）が設けられ、該端部をフレーム２のベルト通しに挿通した後、ベルトの端部がマジックテープで留められる。これにより、フレーム２に回収袋４が固定される。このため、回収袋４は、マジックテープを剥がすだけで、フレーム２から容易に取り外し可能であり、回収袋４の傷みが激しくなった場合に回収袋４だけが交換可能となる。
【００１６】
フレーム２は、銃１０の薬きょう排出口に対向される開口部２ａを有する。回収袋４も、薬きょうを受け入れるための開口部４ａを有する。つまり、複数本のベルト３を用いてフレーム２に回収袋４を固定した状態で、薬きょう回収具１を銃１０の薬きょう排出口に装着すると、回収袋４の開口部４ａとフレーム２の開口部２ａとが銃１０の薬きょう排出口に連通するようになっている。なお、本実施形態において、フレーム２は金属製であり、回収袋４は布製である。
【００１７】
また、フレーム２は、薬きょう回収具１を銃１０に対して回動自在（すなわち、開閉可能）に取り付けるための取り付け具６を有する。取り付け具６は、ヒンジ６ａを介してフレーム２の左上角部近くに回動自在に取り付けられたアーム６ｂを有する。また、取り付け具６は、銃１０の上部に突設されたボス部１１（図２参照）に対し、アーム６ｂの先端を固定するための固定具５を有する。固定具５は、アーム６ｂ側の固定爪６ｃに対して離接する方向に移動可能に設けられた可動爪５ａを有し、ネジ５ｂを締め付けることで可動爪５ａと固定爪６ｃとの間にボス部１１を左右から挟んで固定する。
【００１８】
しかして、取り付け具６の固定具５をボス部１１に締結固定した状態で、ヒンジ６ａを中心にフレーム２が取り付け具６に対して回動可能となり、薬きょう回収具１が銃１０に対してｚ軸方向に延びたヒンジ６ａを中心に回動可能となる。すなわち、ユーザーが１つ目の弾を装填するため、図示しない槓桿レバーを操作する際、薬きょう回収具１が回動されて、フレーム２の開口部２ａが銃１０の薬きょう排出口から離間され、銃１０の薬きょう排出口が開かれる。そして、槓桿レバー操作の後、薬きょう回収具１が元の位置に戻されて、銃１０の薬きょう排出口にフレーム２の開口部２ａが重ねられて閉じられる。
【００１９】
回収袋４は、フレーム２の下方に垂れ下がるようにフレーム２に取り付けられている。そして、回収袋４の下方には、回収袋４内に集まった薬きょうを取り出すための開閉可能なチャック４ｂが設けられている。このチャック４ｂを開けることで、薬きょう回収具１を開かなくても、回収した薬きょうを落下させて外部に取り出すことができる。
【００２０】
また、回収袋４には、複数の通気孔４ｃ（本実施形態では８個）が設けられている。この複数の通気孔４ｃは、弾を撃ったときの火薬の爆発によって発生した高圧ガスが、薬きょう排出口を介して薬きょう回収具１内へ送り込まれたとき、薬きょう回収具１内の圧力が高くならないように、回収袋４内の空気を外部へ逃がすために設けられている。
【００２１】
これら複数の通気孔４ｃを回収袋４に設けることで、回収袋４の内部が高圧になることを防止することができ、薬きょう排出口から薬きょうが放出され難くなることを防止することができる。特に、回収袋４内にある程度の数の薬きょうが回収されている状態では、回収袋４内の空き空間の容積が小さくなっているため、通気孔４ｃを設けることが効果的である。
【００２２】
フレーム２の前方の壁２ｂの内側には、図４に示すように、その表面に平らな傾斜面７ａ（突き当て壁）を有する金属製の突き当て板７（突き当て部材）が貼り付けられている。突き当て板７は、例えば、スポット溶接によりフレーム２に固定されている。この他に、突き当て板７は、いかなる方法でフレーム２に固定されても良い。なお、突き当て板７は、傾斜壁７ａが図示の方向に傾く姿勢でフレーム２に貼り付けられる。
【００２３】
すなわち、傾斜面７ａは、図１１に示すように、銃１０の軸線Ｘに直交する架空の面に対し、銃１０の薬きょう排出口１２から離れる右方向に向けて前方に僅かに傾斜している。より詳細には、突き当て板７の傾斜面７ａは、銃１０の薬きょう排出口１２の前方縁１２ａから真横の方向より僅かに右斜め前方に傾斜して延びている。
【００２４】
このように、薬きょう回収具１の開口部２ａの前方壁の内側に傾斜面７ａを設けることで、例えば、図１１に示すように薬きょう回収具１を銃１０の薬きょう排出口１２に対して閉じた状態で、図１２に示すように薬きょう２０が銃１０の薬きょう排出口１２から放出されたとき、薬きょう２０の先端が傾斜面７ａに衝突して、薬きょう排出口１２から離れる方向（図示破線で示す方向）に跳ね返されるようになる。これにより、薬きょう２０が、槓桿１４や槓桿レバー１４ａとの間に挟まれてしまう不具合を防止することができ、薬きょう２０を確実に回収することができる。
【００２５】
この場合、上述した不具合を防止することのできる傾斜面７ａの角度範囲は、銃１０の軸線Ｘに対して９０度を越えて前方へ傾斜する角度（図中θ）であれば良い。つまり、銃１０の薬きょう排出口１２から放出される薬きょう２０の放出角度は、軸線Ｘより薬きょう放出口１２方向に向くことは明らかであることから、傾斜面７ａの角度をこの程度に設定すれば、薬きょう２０の跳ね返り方向を確実に所望する方向（薬きょう排出口から離れる方向）にコントロールすることができる。
【００２６】
また、薬きょう２０は、軸線Ｘから離れる方向に放出されることから、傾斜面７ａの角度を軸線Ｘに対して１８０度を越える角度に設定しても意味がない。つまり、仮に傾斜面７ａの傾斜角度を軸線Ｘに対して１８０度に設定した場合、薬きょう排出口から放出された薬きょう２０が傾斜面７ａに接触することはない。
【００２７】
以上のように、本実施形態によると、薬きょう回収具１のフレーム２の内側に突き当て板７を貼り付けるだけの簡単な構成の変更により、銃１０の薬きょう排出口から放出された薬きょう２０が槓桿１４や槓桿レバー１４ａとの間に噛み込まれる不具合を防止でき、薬きょう２０を確実に回収することができる。
【００２８】
また、上述した実施形態と同様の効果を奏するため、例えば、図１３に示すように、フレーム２の前壁２ｂの薬きょう排出口１２に近い側の端部を部分的に折り曲げることで、傾斜面７ａを設けても良い。この場合、上述した実施形態のように突き当て板７を貼り付ける必要がなく、その分、部品点数を少なくでき、薬きょう回収具の製造コストを安くできる。
【００２９】
或いは、図１４に示すように、薬きょう２０を突き当てる突き当て板３６の傾斜角度を調節可能な角度調節機構３０を設けても良い。この角度調節機構３０は、フレーム２の前壁２ｂの内側に貼り付け固定される固定板３４、この固定板３４の一端（薬きょう排出口１２から離れた側の端部）を突き当て板３６に対して回動自在に取り付けたヒンジ３２、および固定板３４のねじ穴に螺合して貫通し、その先端を突き当て板３６の裏面（傾斜面７ａと反対の面）に当接せしめた調節ネジ３８を有する。つまり、調節ネジ３８のねじ込み量を調節することで、突き当て板３６の傾斜角度を調節でき、傾斜面７ａの傾斜角度を調節することができる。
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３１】
例えば、上述した実施形態では、突き当て部材の傾斜面が、薬きょう排出口から離れる方向に横方向に傾斜した場合について説明したが、これに限らず、傾斜面は、上下方向にも傾斜しても良い。
【００３２】
また、上述した実施形態では、回収袋４を複数本のベルト３を用いてフレーム２に固定した場合について説明したが、これに限らず、ラッチ爪やチャックなど他の方法で固定しても良い。しかし、好ましくは、本実施形態のように、薬きょう２０が引っ掛かり難いベルト３を用いることが望ましい。
【符号の説明】
【００３３】
１…薬きょう回収具、２…フレーム、２ａ…開口部、２ｂ…前壁、３…ベルト、４…回収袋、４ａ…開口部、４ｃ…通気孔、７…突き当て板、７ａ…傾斜面、９…、１０…銃、１２…薬きょう排出口、１４…槓桿、１４ａ…槓桿レバー、２０…薬きょう。
【図１】
2012067960.tif 000003
【図２】
2012067960.tif 000004
【図３】
2012067960.tif 000005
【図４】
2012067960.tif 000006
【図５】
2012067960.tif 000007
【図６】
2012067960.tif 000008
【図７】
2012067960.tif 000009
【図８】
2012067960.tif 000010
【図９】
2012067960.tif 000011
【図１０】
2012067960.tif 000012
【図１１】
2012067960.tif 000013
【図１２】
2012067960.tif 000014
【図１３】
2012067960.tif 000015
【図１４】
2012067960.tif 000016